(57)【要約】      （修正有）【課題】引下線用コネクタを介さずに引下線と電線を電気的に接続することが可能な引留クランプを提供する。【解決手段】引留クランプ１は、一対のくさび片からなるくさび部２と、くさび部を固定するクランプ部３とから構成され、一対のくさび片により電線４を固定した状態で、一端をクランプ部に挿入して電線を把持し、電線を電柱８に引き留める。くさび片は、電線の引留方向の左右から電線を把持し、また、引下線５を保持する引下線保持部が一体に形成される。【選択図】図１
2013102630.tif 000002
【特許請求の範囲】
【請求項１】
一対のくさび片からなるくさび部と、前記くさび部を固定するクランプ部とから構成され、
前記一対のくさび片により電線を固定した状態で、一端をクランプ部に挿入して前記電線を把持し、前記電線を電柱に引き留める引留クランプにおいて、
前記くさび片は、前記電線の引留方向の左右から前記電線を把持し、引下線を保持する引下線保持部を一体に形成したことを特徴とする引留クランプ。
【請求項２】
前記くさび片の側部は、前記電線の引留方向の左右のいずれかに突設し、その先端から下方に延設される垂下部に前記引下線保持部が一体に形成したことを特徴とする請求項１記載の引留クランプ。
【請求項３】
前記クランプ部は、前記電線の引き留め方向の上部に開口部を形成し、
前記開口部を覆うストッパーが設けられることを特徴とする請求項１又は２に記載の引留クランプ。
【請求項４】
前記一対のくさび片にはボルト孔が形成され、
前記ボルト孔にボルトを締め付けることによって、前記引下線と前記電線とを同時に把持することを特徴とする請求項１ないし３のいずれかに記載の引留クランプ。
【発明の詳細な説明】
【技術分野】
【０００１】
本発明は、電線を電柱に引き留める引留クランプにおいて、特に、電柱間に架設される電線と引下線を電気的に接続するための引下線用コネクタを一体に形成した引留クランプに関する。
【背景技術】
【０００２】
従来の引留クランプは、碍子装置を介して電線を電柱に引き留めるもので、一対のくさび片と、クランプ部から構成され、この一対のくさび片の一端側に電線を固定した状態で、その他端側をクランプ部に挿入して電線を把持する（特許文献１参照）。
【０００３】
ところで、電線に引下線を接続する場合には、電線の被覆を剥がした芯線に引下線が接続された引下線用コネクタを取り付けて接続している。このような引下線用コネクタの一例としては、電線を把持する一対の高圧線接続部と、絶縁ヤットコで把持される板状の把持部と、この把持部に取り付けられたガイド材を備えた引下線用コネクタが開示されており、バネにより閉じるように付勢された高圧線接続部を電線に押し付けることにより高圧線接続部の上端が開口して高圧線を挟持するように構成された引下線用コネクタが公知となっている（特許文献２参照）。
【先行技術文献】
【特許文献】
【０００４】
【特許文献１】特開平８−９８３５６号公報
【特許文献２】特開２０１１−１００６１４号公報
【発明の概要】
【発明が解決しようとする課題】
【０００５】
しかしながら、特許文献２に記載された引下線用コネクタは、電線の被覆を剥いで芯線にコネクタを接続するため、剥ぎ取る手間がかかり作業が煩雑である。
また、電線の被覆を剥ぎ取るために使用する器具（ハグラー）は、刃が鋭く作業員が誤って手を切る恐れがある。
さらに、電線に接続する作業は、電柱から所定の距離を保って行うよう規定されているため、高所作業車を使用して行う必要があり、障害物等で高所作業車が設置できない場合には、電柱に作業台を取り付けた状態で作業しなければならない。また、作業台は風などにより煽られやすく不安定なため、作業が長時間に及ぶと作業者の疲労度が増大する問題がある。
さらにまた、電線に接続した後は、充電部の露出を防止するため専用の引下線用コネクタカバーで覆う必要があり作業が煩雑である。また、電線間隔が狭い場所（スペーサ配線）では、強風等によって引下線用コネクタカバーが外れた場合には電線同士が接触し短絡する恐れがある。
【０００６】
本発明は、かかる事情に鑑みてなされたものであり、引下線用コネクタを介さずに引下線と電線を電気的に接続することが可能な引留クランプを提供することを主たる課題としている。
【課題を解決するための手段】
【０００７】
上記課題を達成するために、本発明に係る引留クランプは、一対のくさび片からなるくさび部と、前記くさび部を固定するクランプ部とから構成され、前記一対のくさび片により電線を固定した状態で、一端をクランプ部に挿入して前記電線を把持し、前記電線を電柱に引き留める引留クランプにおいて、前記くさび片は、前記電線の引留方向の左右から前記電線を把持し、引下線を保持する引下線保持部を一体に形成したことを特徴としている。
くさび片を電線の引留方向の左右から電線を把持することで、引下線を保持する引下線保持部を形成するためのスペースがくさび片の左右にでき、引下線保持部が形成されることで、引下線用コネクタを介さずに引下線と電線を電気的に接続することが可能なる。このため、電線に引下線用コネクタを接続する作業を省略することができ、作業時間の短縮を図ることが可能になり、ハグラーによる作業員の怪我を防止することが可能となる。また、作業に必要な電柱との距離を確保することができるため高所作業車や作業台を使用することなく作業することが可能になるので作業員の安全性を確保し、疲労度を軽減することが可能になる。さらに、引下線用コネクタを使用することなく電線と引下線を電気的に接続することが可能になるため、電線の被覆を剥いだ箇所に設ける引下線用コネクタカバーが不要になり、当該カバーが外れることによる短絡事故を防止することが可能になる。
【０００８】
また、前記くさび片の側部は、前記電線の引留方向の左右のいずれかに突設し、その先端から下方に延設される垂下部に前記引下線保持部が一体に形成してもよい。
このように構成することで、引下線保持部は、引下線の先端を電柱に向かって保持することができ、電柱と引下線との適切な距離を確保することが可能になる。
【０００９】
前記クランプ部は、前記電線の引き留め方向の上部に開口部を形成し、前記開口部を覆うストッパーが設けられるようにしてもよい。
ストッパーが開口部に設けられることによって、電線が強風などにより揺れた場合に、その反動により電線が開口部から抜け出すことを防止することができる。
【００１０】
前記一対のくさび片にはボルト孔が形成され、前記ボルト孔にボルトを締め付けることによって、前記引下線と前記電線とを同時に把持するように構成してもよく、具体的な構成例としては、前記ボルト孔は、前記垂下部に形成されるとよい。
１つのボルトで引下線と電線を同時に把持するため、構成部材の減少を図ることが可能となる。また、垂下部にボルト孔が設けられることで、電線を把持するために必要な把持力を保ったまま、引下線を確実に固定することができる。
【発明の効果】
【００１１】
以上述べたように、本発明の引留クランプは、くさび片を電線の引留方向の左右から電線を把持することで、引下線を保持する引下線保持部を形成するためのスペースがくさび片の左右にでき、引下線保持部が形成されることで、引下線用コネクタを介さずに引下線と電線を電気的に接続することが可能なる。このため、電線に引下線用コネクタを接続する作業を省略することができ、作業時間の短縮を図ることが可能になり、ハグラーによる作業員の怪我を防止することが可能となる。また、作業に必要な電柱との距離を確保することができるため高所作業車や作業台を使用することなく作業することが可能になるので作業員の安全性を確保し、疲労度を軽減することが可能になる。さらに、引下線用コネクタを使用することなく電線と引下線を電気的に接続することが可能になるため、電線の被覆を剥いだ箇所に設ける引下線用コネクタカバーが不要になり、当該カバーが外れることによる短絡事故を防止することが可能になる。
【図面の簡単な説明】
【００１２】
【図１】図１は、引留クランプの概略構成を示したもので、（ａ）は、本発明の引留クランプを用いて電線を電柱に引き留めた場合の全体構成図である。（ｂ）は、引留クランプの正面図である。
【図２】図２は、本発明の引留クランプの斜視図を示したもので、（ａ）は、クランプ部にストッパーを装着していない場合を示したものである。（ｂ）は、クランプ部にストッパーを装着した場合を示したものである。
【図３】図３は、本発明の引留クランプのくさび部を示したものであり、（ａ）は、斜視図である。（ｂ）は、図１（ｂ）のＡ−Ａ断面図である。
【発明を実施するための形態】
【００１３】
以下、本発明の引留クランプについて添付図面を参照して説明する。
【実施例】
【００１４】
図１及び図２に示すように、引留クランプ１は、くさび部２と、クランプ部３により構成され、電線４を把持したくさび部２をクランプ部３の一端に挿入固定し、その他端で碍子装置７を介して電線４を電柱８に引き留めると共に、絶縁カバー１１によりその全体が覆われている。
【００１５】
クランプ部３は、棒状の支持部材３１の一端側（図１において右端部側）に、くさび部２が挿入される把持部３２と、その把持部３２の下部にシメラーロ−プの取付部３３が形成されている。また、支持部材３１の他端側に、碍子装置７等を介して電柱８へ接続するための碍子取付部３４が設けられている。
【００１６】
把持部３２は、先端に向かうにつれて外側から内側に幅狭になるテーパー状に形成され、上面（図１において上）の一部が開放された開口部３５を有し、その上面には開口部３５を覆うストッパー６を固定可能に螺子孔３６が設けられている。
【００１７】
ストッパー６は、その上面６１と底面６２が把持部３２の上面と当接するように先端に向かって幅狭になる台形状に形成されている。上面６１には、スライド孔６３が設けられ、また側面には、絶縁ヤットコ等で把持可能にストッパー把持部６４が設けられている。スライド孔６３は、一端が螺子１０を挿通可能に螺子１０の螺子頭よりわずかに大きく形成され、螺子１０を中心軸にして電線の引留方向の左右にスライド可能に形成されている。
したがって、このストッパー６をスライド孔６３に沿ってスライドさせることで、開口部３５の閉塞とその解除を行うようにストッパー６が構成されている。
【００１８】
くさび部２は、一対のくさび片２ａ，２ｂにより構成され、電線４と平行にして本体部２１の一端から他端まで貫通した電線挿通孔２２と、本体部２１の一端においてクランプ部３と接続する接続部２３と、本体部２１から電線４の引留方向において左側に（クランプ部３の取付部３３が設けられる方向に対して左側で図１（ｂ）において手前側に）突設し、その突設端面が下方に延設された垂下部２４とが形成されている。
【００１９】
接続部２３は、クランプ部３の把持部３２の内側に当接するように外側から幅狭になるようにテーパー状に形成され、電線挿通孔２２に電線４を挟持した状態で把持部３２に挿入すると、接続部２３が電線４の引留方向の左右から電線４を押圧（把持）するように形成されている。
【００２０】
垂下部２４は、引下線５を保持する引下線保持部２５と、くさび片２ａ，２ｂをボルト９で固定するボルト孔２６が形成されている。
【００２１】
引下線保持部２５は、引下線５を挿通する引下線挿通孔２８と、引下線挿通孔２８の左右の開度を調整する開度調整部２９から構成されている。
引下線挿通孔２８は、半円弧状に垂下部２４を電線４と平行するように貫通して形成されている。また、開度調整部２９は、引下線挿通孔２８の上側において、くさび片２ａの一方に設けられた凸部２９ａと、他方のくさび片２ｂに設けられ凸部２９ａと係合する係合孔２９ｂとにより構成され、くさび片２ａ，２ｂが互いに離反するように左右に開いたときに、凸部２９ａが係合孔２９ｂに当接することで開度が制御されるようになっている。
【００２２】
ボルト孔２６は、図３に示すように、両くさび片２ａ，２ｂを貫通するように形成され、ボルト９で締結することによってくさび片２ａ，２ｂが互いに近接し引下線５と電線４を同時に把持する。
【００２３】
以上のように構成された引留クランプ１を用いて電線４と引下線５とを電気的に接続する場合には、まず、電柱８が配設される反対側に引下線５の一端を電線４に巻きつけた後、引下線保持部２５の引下線挿通孔２８に引下線５の他端を電柱８の配設方向に向かって挿入する。次いで、くさび部２の電線挿通孔２２に電線４を挿通してクランプ部３に接続部２３を固定する。最後に、ボルト９で両くさび片２ａ，２ｂを締結して電線４と引下線５を同時に締め付け（把持）し、ストッパー６を把持部３２の上面に取り付けて開口部３５を閉塞する。
【００２４】
以上のように本発明の引留クランプ１によれば、くさび片２ａ，２ｂを電線４の引留方向の左右から電線４を把持することで、引下線５を保持する引下線保持部２５を形成するためのスペースがくさび片２ａ，２ｂの左右にでき、引下線保持部２５が形成されることで、引下線用コネクタを介さずに引下線５と電線４を電気的に接続することが可能なる。このため、電線４に引下線用コネクタを接続する作業を省略することができ、作業時間の短縮を図ることが可能になり、ハグラーによる作業員の怪我を防止することが可能となる。また、作業に必要な電柱８との距離を確保することができるため高所作業車や作業台を使用することなく作業することが可能になるので作業員の安全性を確保し、疲労度を軽減することが可能になる。さらに、引下線用コネクタを使用することなく電線４と引下線５を電気的に接続することが可能になるため、電線４の被覆を剥いだ箇所に設ける引下線用コネクタカバーが不要になり、当該カバーが外れることによる短絡事故を防止することが可能になる。
また、垂下部２４に引下線保持部２５が一体に形成されたことで、引下線５の先端を電柱８に向かって保持することが可能になり、電柱８と引下線５との適切な距離を確保することが可能になる。
さらに、ストッパー６が開口部３５に設けられることによって、電線４が強風などにより揺れた場合に、その反動により電線４が開口部３５から抜け出すことを防止することができる。
さらにまた、１つのボルト９で引下線５と電線４を同時に把持するため、構成部材の減少を図ることが可能となる。また、垂下部２４にボルト孔２６が設けられることで、電線４を把持するために必要な把持力を保ったまま、引下線５を確実に固定することができる。
なお、本実施例において垂下部２４は、本体部２１から電線４の引留方向において左側に突設するように形成したが同方向の右側に形成されるものであっても良い。さらに、ボルト孔２６は、垂下部２４に設けられるように説明したが、これに限定されずたとえば、本体部２１に設けられるようにしても良い。
【符号の説明】
【００２５】
１  引留クランプ
２  くさび部
２ａ，２ｂ  くさび片
３  クランプ部
４  電線
５  引下線
６  ストッパー
２４  垂下部
２５  引下線保持部
２６  ボルト孔
３５  開口部
【図１】
2013102630.tif 000003
【図２】
2013102630.tif 000004
【図３】
2013102630.tif 000005